(57)【要約】【課題】車椅子に乗った状態で排尿・排便が行える安価な車椅子の座装置を得る。【解決手段】車椅子（１）を構成するフレーム（２）のうち、前後方向に延びる左右一対の座受け部材（１６）にシート状の座（２０）を渡架するとともに、該座（２０）の中心部に便孔（２０ａ）を設け、可撓性の袋主体（２５ａ）の上部周縁にフランジ（２５ｂ）を有する便袋（２５）を設け、該便袋（２５）を、そのフランジ（２５ｂ）を介して前記便孔（２０ａ）部に着脱可能に係止する。また、前記座（２０）の便孔（２０ａ）を開閉するカバー（２１）を設け、該カバー（２１）は座（２０）の上面の略全面を覆う広さにするとともに、その後縁部（２１ａ）を前記座（２０）の後縁部に一体的に連結する。【選択図】図３
2005245720.tif 000002
【特許請求の範囲】
【請求項１】
車椅子（１）を構成するフレーム（２）のうち、前後方向に延びる左右一対の座受け部材（１６）にシート状の座（２０）を渡架するとともに、該座（２０）の中心部に便孔（２０ａ）を設け、可撓性の袋主体（２５ａ）の上部周縁にフランジ（２５ｂ）を有する便袋（２５）を設け、該便袋（２５）を、そのフランジ（２５ｂ）を介して前記便孔（２０ａ）部に着脱可能に係止したことを特徴とする車椅子の座装置。
【請求項２】
座（２０）の便孔（２０ａ）を開閉するカバー（２１）を設けたことを特徴とする請求項１記載の車椅子の座装置。
【請求項３】
カバー（２１）は、可撓性のシート資材により座（２０）の上面の略全面を覆う広さに形成するとともに、その後縁部（２１ａ）を前記座（２０）の後縁部に一体的に連結したことを特徴とする請求項２記載の車椅子の座装置。
【請求項４】
左右に延び、かつ左右中心部にて屈曲可能な２本の横桟（３１ａ）を前後に離間配置し、前後に延びる２本のたて桟（３１ｂ）を左右に離間させてその前後端部を前記各横桟（３１ａ）の左右側部に一体的に連結し、前記各たて桟（３１ｂ）に互いに対面して前後に延びるガイド溝（Ｇ２）を設けてなる座枠（３１）と、該座枠（３１）の上面に張設されかつ中心部に便孔（３２ａ）を有する座（３２）とからなる座ユニット（３０）を設け、車椅子（１）の左右のサイドフレーム（２−１，２−２）を左右方向に接離可能に連結するリンク機構（１５）を設け、該リンク機構（１５）の上部に前記座ユニット（３０）の左右両端部を連結し、可撓性の袋主体（３６ａ）の上部周縁にフランジ（３６ｂ）を有する便袋（３６）を設け、該便袋（３６）を、そのフランジ（３６ｂ）を介して前記座ユニット（３０）のガイド溝（Ｇ２）に摺動可能に係止したことを特徴とする車椅子の座装置。
【発明の詳細な説明】
【技術分野】
【０００１】
本発明は、身障者、老人等が使用する車椅子に関し、特に便器の装着が容易な車椅子の座装置に関するものである。
【背景技術】
【０００２】
従来の技術として、合成樹脂等の軽量素材により、下部に便筒、便孔を有する槽を形成し、該槽の上部に着座兼便蓋を開閉自在に設けてなる便器本体を設け、該便器本体を車椅子に一体的に取り付けるようにしたものがあった。
【０００３】
このものは、車椅子に便器が備わっているので、車椅子での外出時における排尿、排便等が容易に行えることになり、搭乗者及び介護者の心労が軽減することになる。しかしながら、便器本体が硬質材により大きな槽状に形成されていたので、高価になるとともに、折畳み式の車椅子には適用することができず、また、便器本体が外部に大きく露見するため、搭乗者のプライバシーを損ねたり、外観を損ねたりするものであった。
【特許文献１】特開平９−２９０００６号公報
【発明の開示】
【発明が解決しようとする課題】
【０００４】
本発明は、車椅子の座の中心部に可撓性の便袋が着脱可能に取り付けできるようにすることにより、既設の車椅子の改良が安価にでき、また、折畳式の車椅子にも容易に適用することができる新規な車椅子の座装置を得ることを目的とする。
【課題を解決するための手段】
【０００５】
本発明は、上記目的を達成するために以下の如く構成したものである。即ち、請求項１に係る発明は、車椅子を構成するフレームのうち、前後方向に延びる左右一対の座受け部材にシート状の座を渡架するとともに、該座の中心部に便孔を設け、可撓性の袋主体の上部周縁にフランジを有する便袋を設け、該便袋を、そのフランジを介して前記便孔部に着脱可能に係止する構成にしたものである。
請求項２に係る発明は、前記座の便孔を開閉するカバーを設けたものである。
請求項３に係る発明は、前記カバーを、可撓性のシート資材により座の上面の略全面を覆う広さに形成するとともに、その後縁部を前記座の後縁部に一体的に連結したものである。
請求項４に係る発明は、左右に延び、かつ左右中心部にて屈曲可能な２本の横桟を前後に離間配置し、前後に延びる２本のたて桟を左右に離間させてその前後端部を前記各横桟の左右側部に一体的に連結し、前記各たて桟に互いに対面して前後に延びるガイド溝を設けてなる座枠と、該座枠の上面に張設されかつ中心部に便孔を有する座とからなる座ユニットを設け、車椅子の左右のサイドフレームを左右方向に接離可能に連結するリンク機構を設け、該リンク機構の上部に前記座ユニットの左右両端部を連結し、可撓性の袋主体の上部周縁にフランジを有する便袋を設け、該便袋を、そのフランジを介して前記座ユニットのガイド溝に摺動可能に係止する構成にしたものである。
【発明の効果】
【０００６】
本発明の請求項１に係る発明は、座の便孔部にフランジを介して便袋を取り付け、該便袋の袋主体部を下方に向けて拡開させると、この袋主体部によって便孔の下方に便室が形成されることになる。これにより搭乗者は、車椅子に座った状態で用便（排尿、排便）することができる。用便が終了した後、上記便袋を座から取り外してこれを包み、これを別途容易した汚物袋に収容すると、座部に便袋が存在しなくなり、搭乗者のプライバシーを損ねたり、外観を損ねたりしなくなる。また、便袋を折り畳むことによって車椅子に設けたポケットあるいは携帯の汚物袋に容易に収容することができる。
請求項２に係る発明は、前記座の便孔をカバーにより開閉するようにしたので、便孔を大きくして用便を容易にしても、非用便時にカバーで便孔を閉じることにより、該便孔による座り心地の低下を防止することができる。
請求項３に係る発明は、カバーが座の後縁部を中心として回動するので、開いたカバーを車椅子の背もたれに重ねることができ、不用意な動きを防止することができるとともに、搭乗者の尻部が外部に露見するのを防止することができる。また、閉じた際に、カバーが座の上面前面を包囲することになるので、座り心地を高めることができる。
請求項４に係る発明は、座の下面側に弁袋が摺動可能に係止するガイド溝を設けたので、搭乗者が座に座った状態で、弁袋を取り付け、取り外しすることができ、介護者の用便処理作業が容易に行なえることになる。また、座ユニットが左右に折畳みできるので、折り畳み式の車椅子に適用できる。
【発明を実施するための最良の形態】
【０００７】
以下本発明の実施例を図面に基づいて説明する。図において、図１は本発明の第１実施例を示す斜視図、図２はカバーの開き状態を示す斜視図、図３は弁袋の取り付け状態を示す斜視図、図４は弁袋の初期状態を示す斜視図、図５は便袋の拡開状態を示す斜視図、図６は本発明の第２実施例を示す要部斜視図、図７は図６のVII-VII拡大断面図、図８は本発明の第２実施例によるカバーの斜視図、図９は本発明の第２実施例による便袋の初期状態を示す斜視図、図１０は本発明の第２実施例による便袋の拡開状態を示す斜視図である。
【０００８】
図１において、１は折畳式車椅子、２は該車椅子のフレームである。該フレーム２は左右のサイドフレーム２−１，２−２をＸ形のリンク機構１５により連結して左右方向に接離（折畳み）可能となっている。上記左右のサイドフレーム２−１，２−２は、パイプ材により互いに面対称に形成されてなり、そのうち、左部のサイドフレーム２−１を代表して説明すると、上下に延びる背フレーム３の上部、上下中間部、及び下端に、肘掛けフレーム４、座フレーム５、及び下部フレーム６をそれぞれ前方に突出させて一体的に連結する。
【０００９】
上記肘掛けフレーム４はその前部を下方に向けて屈曲させ、該屈曲した下り杆４ａの下端を下部フレーム６に一体的に連結する。上記座フレーム５はその前部を上記下り杆４ａの途中に一体的に連結した後、その前部を下方かつ前方に向けて屈曲させ、該屈曲した下り杆５ａの下端部５ｂを前方に屈曲させ、該下端部５ｂに足載せ１０を内方、及び上方に向けて起倒可能に取り付ける。そして、上記背フレーム３の下部に大径の車輪１１を、上記下部フレーム６の前端部に補助輪（キャスター）１２を取り付ける。また、背フレーム３の上端を後方に屈曲させ、この部を把手３ａとする。
【００１０】
上記左右のサイドフレーム２−１，２−２を連結するリンク機構１５は以下の如くなっている。即ち、左右の下部フレーム６，６の前部と後部とにそれぞれ一対のリンクアーム１５ａ，１５ｂを回動可能にピン連結するとともに、該リンクアーム１５ａ，１５ｂをＸ形に交叉させ、該交叉部にて両者を互いに回動可能にピン連結し、各リンクアーム１５ａ，１５ｂの上端に座受け杆（座受け部材）１６，１６を前後に配置して一体的に固定する。また、後部側の左右のリンクアーム１５ａ，１５ｂの上部を、連結アーム１５ｃ，１５ｃを介して背フレーム３の上下中間部に回動可能に連結する。
【００１１】
上記左右の背フレーム３，３間にビニールシート等の可撓性のシートからなる背持たれ１８を張り、また、左右の座受け杆１６，１６間にビニールシート等の可撓性のシートからなる座２０及びカバー２１を渡架する。上記座２０は、図２に示すように、その面中心部に前後に長い楕円形状の便孔２０ａが形成され、左右両端をビスあるいはフック等の係止具により上記座受け杆１６，１６に連結する。また、カバー２１は、座２０と略対応する面積にして該座２０の上面に重ね合わせるとともに、図２に示すように、その後縁部２１ａを座２０の後縁部に一体的に連結し、該後縁部２１ａを中心として上下に回動可能とする。
【００１２】
そして、図２に示すように、上記座２０の前部上面に例えば雌面ファスナー２２ａを取り付け、カバー２１の前部下面に上記雌面ファスナー２２ａと係脱可能な雄面ファスナー２２ｂを取り付ける。また、上記背もたれ１８の上部前面に雌面ファスナー２２ｃを取り付け、カバー２１の前部上面に上記雌面ファスナー２２ｃと係脱可能な雄面ファスナー２２ｄ（図１）を取り付ける。これにより、カバー２１を座２０の上面に重ね合わせた際に上記雄雌の面ファスナー２２ａ，２２ｂを係合させてカバー２１を座２０に一体的に結合させ、カバー２１を背もたれ１８の前面側に重ね合わせた際に上記雄雌の面ファスナー２２ｃ，２２ｄを係合させてカバー２１を背もたれ１８の前面側に一体的に結合させる。
【００１３】
搭乗者が用便する際には、該搭乗者を一時的に起立させ、カバー２１を座２０から離間（開く）させて背もたれ１８の前面側に重ね合わせるとともに、雄雌の面ファスナー２２ｃ，２２ｄを係合させてカバー２１を開口保持する。次いで、図３に示すように、便袋２５を上記座２０の便孔２０ａに嵌合係止し、この状態で搭乗者を座２０に座らせて用便を行わせる。なお、上記便袋２５は搭乗者が車椅子１に乗る前に予め便孔２０ａ部に取り付けておくようにしてもよい。また、上記搭乗者が用便する際には、布あるいは毛布等で搭乗者の下半身を包囲する。
【００１４】
上記便袋２５は、図４、図５に示すように、和紙、綿等からなる可撓性の袋主体２５ａと、その上部周縁に固着された厚紙製のフランジ２５ｂとからなり、袋主体２５ａは初期時においては、図４に示すように、フランジ２５ｂの下面側で板状に折り畳まれ、背もたれ１８の背面に形成されたポケット（図示省略）等に容易に格納できるようになっている。また、使用時には、図５、図３に示すように、袋主体２５ａを容器状に膨らませ、座２０の便孔２０ａに上方から嵌合させ、そのフランジ２５ｂを便孔２０ａの上面周縁に係止するようになっている。なお、袋主体２５ａに脱臭剤、給水ポリマー等を施すか、あるいは袋主体２５ａ内に脱臭剤、給水ポリマーを収容するようにすれば、排尿、排便の臭いを消したり、外部への漏洩を防止したりすることができ、環境・衛生面上で好ましい。
【００１５】
上記第１実施例によれば、既設の車椅子、あるいは既設の折畳式車椅子の座を上記座２０と交換するのみで、搭乗者を車椅子上で用便させることができ、改造が安価にかつ容易に行えることになる。なお、車椅子のフレーム２が、折畳みできない一体構造となっている場合は、前述した座２０は座フレーム５に直接係止する。
【００１６】
図６〜図１０は第２実施例を示す。図６、図７において、１５はリンク機構、１６は該リンク機構１５の上端部に固定した座受け杆であり、これらは前述した第１実施例のものと略同様の構造となっている。上記座受け杆１６に座ユニット３０を取り付ける。該座ユニットは、枠状に組んだ金属製の座枠３１の上面に可撓シート製の座３２を張設してなる。上記座枠３１は、左右中心部でピンＰ１により上下方向に屈曲可能に連結してなる角筒状の横桟３１ａを前後に離間させて配置し、各横桟３１ａ，３１ａの左右側部に前後に延びる板状のたて桟３１ｂ，３１ｂを渡架して両者を溶接により一体的に結合し、該たて桟３１ｂ，３１ｂの下面に、互いに対面して前後に延びる上下二段のガイド溝Ｇ１，Ｇ２を有するガイドバー３１ｃ，３１ｃを固定してなる。
【００１７】
また、座３２は可撓性シート材により上記座枠３１の上面を包囲する面積に形成されるとともに、その面中心部に前後に長い楕円形状の便孔３２ａを形成してなり、上記座枠３１の上面に載置する。
【００１８】
上記座ユニット３０は、図７に示すように、座枠３１の左右端部を前述したリンク機構１５の上部、つまり左右の座受け杆１６，１６に載置し、その両端部をビス等の締結具３７により座３２と共に座受け杆１６，１６に締め付け固定する。そして、上段のガイド溝Ｇ１にカバー３５を抜き差し可能に係止し、下段のガイド溝Ｇ２に便袋３６のフランジ３６ｂを抜き差し可能に係止する。
【００１９】
上記カバー３５は、図８に示すように、薄い硬質製のプラスチック材により左右両側が上段のガイド溝Ｇ１に抜き差し可能に係止する長方形状に形成するとともに、その面中心部に上方に突出する隆起部３５ａを形成し、左右中心部に折れ線３５ｂを形成してなる。該隆起部３５ａは座３２の便孔３２ａに下から嵌合する前後に長い楕円形状に形成し、その高さは便孔３２ａに嵌合した際に、その上面が座３２と同レベルとなるようにする。
【００２０】
上記便袋３６は、図９、図１０に示すように、和紙、綿等からなる可撓性の袋主体３６ａの上部周縁に厚紙製のフランジ３６ｂを固着し、該フランジ３６ｂの左右中心に折れ線３６ｃを形成してなり、袋主体３６ａは初期時においては、図９に示すように、フランジ３６ｂの下面側で板状に折り畳まれ、また、使用時には、図１０、図７に示すように、袋主体３６ａを容器状に膨らませ、座３２の便孔３２ａの下方にて便室を形成するようになっている。また、フランジ３６ｂはその両側が下段のガイド溝Ｇ２に抜き差し可能に係止する長方形状に形成されている。
【００２１】
上記第２実施例によれば、座３２の下面側にカバー３５及び便袋３６を個別に抜き差しできる上下段のガイド溝Ｇ１，Ｇ２を設けたので、搭乗者が座３２に座った状態で、カバー３５及び便袋３６を取り付け、取り外しすることができ、搭乗者の心労を軽減させることができるとともに、介護者の用便処理作業が容易に行なえることになる。また、座枠３１が左右中心部で折畳みできるので、折畳式車椅子１の座を座ユニット３０と交換するのみで搭乗者が折畳式車椅子上で用便することができ、改造が安価にかつ容易に行えることになる。
【図面の簡単な説明】
【００２２】
【図１】本発明の第１実施例を示す斜視図である。
【図２】カバーの開き状態を示す斜視図である。
【図３】弁袋の取り付け状態を示す斜視図である。
【図４】弁袋の初期状態を示す斜視図である。
【図５】便袋の拡開状態を示す斜視図である。
【図６】本発明の第２実施例を示す要部斜視図である。
【図７】図６のVII-VII拡大断面図である。
【図８】本発明の第２実施例によるカバーの斜視図である。
【図９】本発明の第２実施例による便袋の初期状態を示す斜視図である。
【図１０】本発明の第２実施例による便袋の拡開状態を示す斜視図である。
【符号の説明】
【００２３】
１    折畳式車椅子
２    フレーム
２−１    左サイドフレーム
２−２    右サイドフレーム
３    背フレーム
３ａ  把手
４    肘掛けフレーム
４ａ  下り杆
５    座フレーム
５ａ  下り杆
５ｂ  下端部
６    下部フレーム
１０    足載せ
１１    車輪
１２    補助輪
１５    リンク機構
１５ａ，１５ｂ  リンクアーム
１５ｃ  連結アーム
１６    座受け杆（座受け部材）
１８    背持たれ
２０    座
２０ａ  便孔
２１    カバー
２１ａ  後縁部
２２    面ファスナー
２５    便袋
２５ａ  袋主体
２５ｂ  フランジ
３０    座ユニット
３１    座枠
３１ａ  横桟
３１ｂ  たて桟
３１ｃ  ガイドバー
Ｇ１    上ガイド溝
Ｇ２    下ガイド溝
３２    座
３２ａ  便孔
Ｐ１    ピン
３５    カバー
３５ａ  隆起部
３５ｂ  折れ線
３６    便袋
３６ａ  袋主体
３６ｂ  フランジ
３６ｃ  折れ線
３７    締結具
【図１】
2005245720.tif 000003
【図２】
2005245720.tif 000004
【図３】
2005245720.tif 000005
【図４】
2005245720.tif 000006
【図５】
2005245720.tif 000007
【図６】
2005245720.tif 000008
【図７】
2005245720.tif 000009
【図８】
2005245720.tif 000010
【図９】
2005245720.tif 000011
【図１０】
2005245720.tif 000012